(57)【特許請求の範囲】
【請求項１】
着装者に着装され、画像を変更可能に投影する投影装置と、
着装者に着装され、内側に前記投影装置が離れて配置されると共に前記投影装置により投影された画像を外側から視認可能な表示部と、
を有することを特徴とする表示システム。
【請求項２】
前記表示部は、前記着装者の周囲を覆う包囲部を有し、
複数の前記投影装置が、前記包囲部の内側からそれぞれ前記包囲部の異なる領域に対して画像を投影すること、
を特徴とする請求項１に記載の表示システム。
【請求項３】
前記包囲部は、衣服を着装する着装者の周囲を覆う衣服であり、
前記投影装置は、前記衣服の内側から前記着装者の周囲を覆う衣服に対して画像を投影すること、
を特徴とする請求項２に記載の表示システム。
【請求項４】
前記表示部は、着装者に着装された収容具であり、
前記投影装置は、前記収容具の内側から前記収容具に対して画像を投影すること、を特徴とする請求項１に記載の表示システム。
【発明の詳細な説明】
【技術分野】
【０００１】
本発明は、表示システムに関するものである。例えば、衣服に画像を変更して表示させる場合に用いられて好適である。
【背景技術】
【０００２】
通常、衣服などに施される色、模様などは、衣服の形や機能に合わせて、最初から選択あるいはデザインされている。一方、同一衣服において自由に色、模様などを変更して、衣服の印象を変えられることが望まれている。例えば、特許文献１には、アクセサリーを着脱自在な衣服が開示されている。特許文献１の衣服によれば、多様なファッションの要求を実現できるものの、衣服の印象を変えるまでの変更は困難である。
【０００３】
また、近年、プロジェクションマッピングと呼ばれる、立体物の面をスクリーンとして画像を投影する技法が各種イベント等で用いられている。このプロジェクションマッピングを応用して、衣服をスクリーンにして画像を変更しながら投影することで、衣服の色、模様などを変更でき、衣服の印象を変えることが可能である。
【先行技術文献】
【特許文献】
【０００４】
【特許文献１】実用新案登録第３０３２２５３号公報
【発明の概要】
【発明が解決しようとする課題】
【０００５】
しかしながら、プロジェクションマッピングは移動する立体物の面をスクリーンにする場合に適していない。すなわち、通常、衣服は着装者によって着装されるために、着装者の歩行などに合わせて移動する。このように移動する衣服の面をスクリーンとする場合、衣服の移動に合わせて、投影方向を変化させるキャリブリレーションが必要となり、任意の移動に対応することができないという問題がある。また、プロジェクションマッピングは、一定の方向から投影されるために、投影された部分しか画像を変更することができず、例えば衣服の全体の画像を変更したい場合に対応することができないという問題がある。
【０００６】
本発明は、上述したような問題点に鑑みてなされたものであり、移動体に着装される表示部に対して変更可能に画像を表示することを目的とする。また、表示部が着装者に着装される衣服である場合に、衣服に対して画像を変更可能に表示することを目的とする。
【課題を解決するための手段】
【０００７】
本発明は、画像を変更可能に投影する投影装置と、移動可能な移動体に着装され、内側に前記投影装置が離れて配置されると共に前記投影装置により投影された画像を外側から視認可能な表示部と、を有することを特徴とする。
また、前記表示部は、衣服であり、前記移動体は、前記衣服を着装する着装者であり、前記投影装置は、前記衣服の内側から前記衣服に対して画像を投影することを特徴とする。
また、前記衣服は、前記着装者の周囲を覆う包囲部を有し、複数の前記投影装置が、前記包囲部の内側からそれぞれ前記包囲部の異なる領域に対して画像を投影することを特徴とする。
また、前記投影装置は、前記衣服の内側であって前記着装者または前記衣服に取付部を介して取り付けられることを特徴とする。
また、前記表示部は、収容具であり、前記移動体は、前記収容具を着装する着装者であり、前記投影装置は、前記収容具の内側から前記収容具に対して画像を投影することを特徴とする。
【発明の効果】
【０００８】
本発明によれば、移動体に着装される表示部に対して画像を変更可能に表示することができる。
例えば、表示部が着装者に着装される衣服である場合、画像を変更可能に投影する投影装置と、着装者に着装され、内側に前記投影装置が離れて配置されると共に前記投影装置により投影された画像を外側から視認可能な衣服と、を有することで、衣服に対して画像を変更可能に表示することができる。
【図面の簡単な説明】
【０００９】
【図１】表示システムの構成を示す図である。
【図２】表示部としての衣服の一例を示す図である。
【図３】プロジェクタの投影範囲を示す図である。
【図４】プロジェクタの構成を示す図である。
【図５】衣服のスカート部に表示される画像の具体例を示す図である。
【図６】表示部としての収容具の一例を示す図である。
【発明を実施するための形態】
【００１０】
以下、本実施形態に係る表示システムについて図面を参照して説明する。
（第１の実施形態）
図１は、表示システム１０の構成を示す図である。図１（ａ）、（ｂ）は正面図、側面図である。
本実施形態の表示システム１０は、着装者が着装する表示部としての衣服２０と、衣服２０の内側から衣服２０に対して画像を変更可能に投影する投影装置としてのプロジェクタ３０とを有する。なお、図１では、衣服２０のスカート部２１の一部を省略して図示している。また、着装者は、衣服２０を着装した状態で移動可能であることから、本発明の移動体に相当する。また、画像とは、特に言及がない場合には静止画および動画を含む概念である。
【００１１】
まず、衣服２０について図２を参照して説明する。図２は、衣服２０の一例を示す図である。図２（ａ）、（ｂ）は正面図、側面図である。
本実施形態の衣服２０は、いわゆるワンピース状のドレスである。衣服２０の用布には、図１に示すプロジェクタ３０による投影時には光が透過し易く、未投影時には外側から内部が透けて見えない素材が用いられる。例えば、衣服２０の用布として、白色のポリエステル１００％の中肉生地のサテンシャンタンが適用できる。
衣服２０は、着装者の周囲は覆う包囲部としてのスカート部２１を有する。スカート部２１は、着装者の腰付近の全周３６０°から径方向に膨出する膨出部２２を有する。膨出部２２は、やや上側に凸状に湾曲しながら径が大きくなる。また、スカート部２１は、膨出部２２の下端から一体で、着装者の足元に向かって窄まる窄み部２３を有する。窄み部２３は、径方向に凸状に湾曲しながら径が小さくなる。ここでは、図２（ａ）に示すように、膨出部２２の高さ寸法Ｈ１と窄み部２３の高さ寸法Ｈ２との比が、略１：４に設定されている。
【００１２】
また、衣服２０は、膨出部２２および窄み部２３の形状を横状ワイヤ２４および縦状ワイヤ２５によって維持している。横状ワイヤ２４は、着装者の腰付近、膨出部２２と窄み部２３との境界、および、窄み部２３の下端のそれぞれに横方向で着装者を囲むように環状に配置される。横状ワイヤ２４により、膨出部２２および窄み部２３の各径の大きさが維持される。縦状ワイヤ２５は、隣り合う縦状ワイヤ２５同士の間に間隔をあけた状態で、各横状ワイヤ２４と交差するように縦方向に配置される。縦状ワイヤ２５により、膨出部２２および窄み部２３の湾曲した形状が維持される。したがって、スカート部２１は膨出部２２および窄み部２３によって内部に広い空間が形成される。
【００１３】
図２（ｂ）に示すように、衣服２０は、着装者の背中側かつ腰付近から後方に延び、膨出部２２上に重なる複数の装飾片２６を有する。複数の装飾片２６は、スカート部２１の用布と同一の生地や、その他の生地が適用できる。複数の装飾片２６は、それぞれ大きさが異なる略扇状に形成され、撓んだ状態で互いに重なり合っている。最も大きな装飾片２６は、膨出部２２から所定の長さ分だけ垂れ下がっている。
上述した膨出部２２、窄み部２３および装飾片２６は、図１に示すプロジェクタ３０により投影された画像を表示するスクリーンとして機能する。
【００１４】
次に、投影装置としてのプロジェクタ３０について図１を参照して説明する。図１は、プロジェクタ３０をスカート部２１の内側に配置した状態を示している。
ここでは、複数（３つ）のプロジェクタ３０がスカート部２１の内側であって、スカート部２１から離れた位置に配置される。具体的には、第１のプロジェクタ３０ａが右脚の足首の前側に取り付けられ、第２のプロジェクタ３０ｂが左足の足首の前側に取り付けられ、第３のプロジェクタ３０ｃが左足の足首の後側に取り付けられる。第１〜第３のプロジェクタ３０ａ〜３０ｃは、プロジェクタを収容すると共に足首に着脱される取付部３１を介して取り付けられる。
また、着装者の腰には、第１〜第３のプロジェクタ３０ａ〜３０ｃに給電するためのバッテリ３２がベルト３３を介して取り付けられる。なお、バッテリ３２は、ベルト３３を介して取り付ける場合に限られず、着装者のパンツに形成された専用ポケット袋に収容してもよい。また、バッテリ内蔵のプロジェクタ３０を用いる場合には、別体のバッテリを省略することができる。
【００１５】
第１〜第３のプロジェクタ３０ａ〜３０ｃは、投影方向が略斜め上側を指向するように取り付けられる。ここで、第１〜第３のプロジェクタ３０ａ〜３０ｃはスカート部２１の内側に配置されていることから、第１〜第３のプロジェクタ３０ａ〜３０ｃから投影される画像はスカート部２１の内側、すなわち膨出部２２および窄み部２３の内側をスクリーンとして投影される。ここで、スカート部２１は、光を透過し易い素材が用いられていることから、スカート部２１の内側に投影された画像はスカート部２１を透過する。したがって、着装者の周囲にいる人はスカート部２１を透過した画像を視認することができる。
【００１６】
次に、第１〜第３のプロジェクタ３０ａ〜３０ｃの投影範囲について図３を参照して説明する。図３は、第１〜第３のプロジェクタ３０ａ〜３０ｃの投影範囲を示し、スカート部２１を上側から見た断面図である。
スカート部２１には膨出部２２が形成されると共に、第１〜第３のプロジェクタ３０ａ〜３０ｃがスカート部２１の内側からそれぞれ離れた着装者の足首に取り付けられる。したがって、第１〜第３のプロジェクタ３０とスカート部２１との間の距離を大きくすることができ、第１〜第３のプロジェクタ３０から投影される投影範囲を広範囲にすることができる。
【００１７】
図３に示すように、第１〜第３のプロジェクタ３０ａ〜３０ｃの投影範囲は、スカート部２１の全周３６０°を略カバーできるように設定されている。すなわち、第１〜第３のプロジェクタ３０ａ〜３０ｃは、それぞれ異なる領域に対して画像を投影することで、投影範囲を広範囲にすることができる。なお、隣接するプロジェクタ３０同士の投影範囲の一部が重なるように設定することで、スカート部２１の内側の略全面に亘って画像を投影することができる。ここで、スカート部２１の内側の略全面に投影された画像は、スカート部２１を透過することから、スカート部２１の外側の略３６０°に亘って画像が表示される。
なお、第１〜第３のプロジェクタ３０ａ〜３０ｃの投影範囲の調整は、プロジェクタ３０自体の調整機構あるいは取付部３１を介して行うことができる。
【００１８】
次に、第１のプロジェクタ３０ａの構成について図４を参照して説明する。図４は、第１のプロジェクタ３０ａの構成を示す図である。なお、第２のプロジェクタ３０ｂおよび第３のプロジェクタ３０ｃは、第１のプロジェクタ３０ａと同様の構成であり、その説明を省略する。
図４に示すように、プロジェクタ３０は、投影部４１、画像生成部４２、制御部４３、記憶部４４、通信部４５、画像入力部４６、操作部４７などを有する。
【００１９】
投影部４１は、レンズなどを含み、画像をスクリーン上、すなわちスカート部２１に投影する。画像生成部４２は、記憶部４４、通信部４５または画像入力部４６を介して取得した画像を投影部４１で投影できる画像に生成する。制御部４３は、プロジェクタ３０全体を制御する。具体的には、制御部４３は記憶部４４に記憶されたプログラムを実行することでプロジェクタ３０の各構成部を制御する。記憶部４４は、制御部４３により実行されるプログラムや、画像の情報が記憶される。記憶部４４は、プロジェクタ３０に内蔵されたメモリ、外部記録媒体などが適用できる。通信部４５は、所定の通信規格により外部装置との間で無線により通信を行う。画像入力部４６は、外部装置から画像を受信する。操作部４７は、操作者がプロジェクタ３０に対する指示を入力する。
【００２０】
ここで、制御部４３は、プログラムにより予め定められた画像、あるいは、通信部４５や操作部４７を介して指示された画像を投影することができる。ここで、第１〜第３のプロジェクタ３０ａ〜３０ｃの各制御部４３が、同一の画像を投影することで、スカート部２１の略３６０°に対して同一の画像を表示することができる。
具体的には、第１〜第３のプロジェクタ３０ａ〜３０ｃの各制御部４３が同一のプログラムを実行したり、各制御部４３同士で連携したりすることで同一の画像の投影を実現することができる。また、外部装置や操作者から各制御部４３に対して所定の画像を投影させる指示を受信して、受信した指示を実行することでも同一の画像の投影を実現することができる。
【００２１】
また、制御部４３は、プログラムにより予め定められたタイミング、あるいは、通信部４５や操作部４７を介して指示された任意のタイミングに応じて、画像を変更して投影することができる。ここで、第１〜第３のプロジェクタ３０ａ〜３０ｃの各制御部４３が、略同一のタイミングで同一の画像を投影することで、スカート部２１の略３６０°に対して瞬時に画像を変更することができる。
具体的には、第１〜第３のプロジェクタ３０ａ〜３０ｃの各制御部４３が同一のプログラムを実行したり、各制御部４３同士で連携したりすることで同一のタイミングでの画像の変更を実現することができる。また、外部装置や操作者から各制御部４３に対して画像を変更させる指示を受信して、受信した指示を実行することでも同一のタイミングでの画像の変更を実現することができる。なお、画像が動画の場合には、第１〜第３のプロジェクタ３０ａ〜３０ｃの各制御部４３が、同一の動画を投影することで、同一のタイミングで画像を変更することができる。
【００２２】
このように、本実施形態の表示システム１０によれば、衣服２０に施される画像を変更可能に表示させることができ、衣服２０の印象を変えることができる。このとき、各プロジェクタ３０は、スカート部２１の内側に配置されることから、露出を防止することができる。特に、衣服２０の窄み部２３がプロジェクタ３０を取り囲むことによって各プロジェクタ３０の露出をより防止することができる。
【００２３】
次に、衣服２０のスカート部２１に表示される画像の具体例について図５（ａ）〜図５（ｄ）を参照して説明する。
図５（ａ）は、衣服２０のスカート部２１に一色のみからなる画像を投影した状態を示す図である。このように、衣服２０のスカート部２１が無色であっても、スカート部２１に投影された画像によってスカート部２１に任意の色を施すことができる。このとき、スカート部２１に投影される画像の光の強度を領域毎に徐々に強くしたり弱くしたりして変化させることで、揺らぎを表現することができる。
なお、スカート部２１から透過された画像は、撓んだ状態で互いに重なり合っている装飾片２６にも投影される。このとき、装飾片２６の撓みや重なり枚数によって光の透過量が異なることから、装飾片２６によって陰影を表現することができる。
【００２４】
図５（ｂ）は、衣服２０のスカート部２１にドット模様の画像を投影した状態を示す図である。このように、衣服２０のスカート部２１が無模様であっても、スカート部２１に投影された画像によってスカート部２１に模様を施すことができる。なお、ドットは同一の大きさ、同一の色ではなく、異なる大きさ、異なる色にすることで、衣服２０の印象をより変えることができる。また、画像は、ドットの位置が変わらない静止画であってもよく、ドットの位置、大きさ、色などが変化する動画であってもよい。
なお、画像が静止画であっても、着装者が動くことでプロジェクタ３０とスカート部２１との距離が変化することから、ドットの位置や大きさを変化させることができる。
【００２５】
図５（ｃ）は、衣服２０のスカート部２１に花柄および縞柄の画像を投影した状態を示す図である。このように、衣服２０のスカート部２１が無模様であっても、スカート部２１に投影された画像によってスカート部２１に模様を施すことができる。なお、花柄および縞柄に限られず、企業や商品、サービスのロゴやマークなど広告的な画像を表示してもよい。
図５（ｄ）は、衣服２０のスカート部２１に図形としての複数のＱＲコード（登録商標）の画像を投影した状態を示す図である。このように、衣服２０のスカート部２１が無模様であっても、スカート部２１に投影された画像によってスカート部２１に図形を施すことができる。例えば、ＱＲコードには、企業や店舗のＷＥＢサイト等のアドレスや、商品やサービスの説明が掲載されたＷＥＢサイト等のアドレスの情報を付加することができる。なお、図形に限られず、文字、記号であってもよく、企業名や商品名、サービス名など広告的な画像を表示してもよい。
【００２６】
このように、本実施形態の表示システム１０は、画像を変更可能に投影するプロジェクタ３０と、着装者に着装され、内側にプロジェクタ３０が離れて配置されると共にプロジェクタ３０により投影された画像を外側から視認可能な衣服２０と、を有する。このような構成により、プロジェクタ３０から衣服２０の内側に対して投影された画像は、衣服２０を透過することから、透過した画像が衣服２０に表示される。
【００２７】
したがって、着装者の周囲にいる人は衣服２０に表示された画像を衣服２０の外側から視認可能である。このとき、衣服２０を着装した着装者が移動したとしても、プロジェクタ３０と衣服２０との相対的な位置は略変化しないことから、プロジェクタ３０は略同一の投影範囲で画像を投影することができる。すなわち、本実施形態の表示システム１０によれば、着装者の動作の制限が少なく、着装者は任意に移動することができる。
また、プロジェクタ３０は画像を変更して投影することで、衣服２０に表示される画像を変更でき、衣服２０の印象を容易に変えることができる。特に、本実施形態の表示システム１０は、衣服の印象を変える機会が多い、ウェディングドレス、パーティドレス、舞台用の衣服などに用いたり、ファッションショーなどで用いたりすることができる。但し、この場合に限られず、通常の衣服に用いてもよく、装着者の一部を覆う衣服としてのマントなどに用いてもよい。
【００２８】
また、図５（ｄ）に示すように、衣服２０にＱＲコードを表示させることで、着装者の周囲にいる人は自己が所持するスマートフォン等を用いて、衣服２０に表示されたＱＲコードを読取ることが想定される。したがって、ＱＲコードに企業や店舗のＷＥＢサイトのアドレスが付加されている場合には、ＷＥＢサイトが閲覧され、企業や店舗への集客力を向上させることができる。また、ＱＲコードに商品やサービスの説明が掲載されたＷＥＢサイトのアドレスが付加されている場合には、ＷＥＢサイトの広告が閲覧され、宣伝広告の効果を図ることができる。また、レジャー施設内等では、衣服２０に表示させたＱＲコードに施設からの各種メッセージを掲載したアドレスを付加することで、施設利用者に各種メッセージを伝えることができる。なお、ここでは、ＱＲコードでＷＥＢサイトに誘導する場合について説明したが、模様や柄などの特定のパターンによってもＷＥＢサイトに誘導させることができる。
【００２９】
また、本実施形態の表示システム１０は、プロジェクタ３０が着装者の周囲を覆う包囲部としてのスカート部２１に画像を投影する。スカート部２１は広い面積を有することから、プロジェクタ３０が投影する投影範囲を広く確保することができる。また、スカート部２１は着装者の周囲に広がるように構成されることから、プロジェクタ３０とスカート部２１との間の距離を大きくでき、プロジェクタ３０から投影される投影範囲をより広範囲にすることができる。
【００３０】
また、本実施形態の表示システム１０は、プロジェクタ３０が取付部３１を介して着装者に取り付けられる。したがって、プロジェクタ３０は、装着者の任意の位置に取り付けることができる。なお、着装者にプロジェクタ３０を取り付ける場合に限られず、衣服２０自体、横状ワイヤ２４あるいは縦状ワイヤ２５に取り付けてもよい。
また、本実施形態の表示システム１０は、衣服２０の内側にプロジェクタ３０を配置するだけでよく、映像に関する高度な知識も必要としないために、比較的に安価でかつ簡単にシステムを構成することができる。
【００３１】
（第２の実施形態）
本実施形態の表示システム５０は、着装者が着装する表示部としての収容具６０と、画像を変更可能に投影する投影装置としてのプロジェクタ３０とを有する。ここで、着装者は、収容具６０を着装した状態で移動可能であることから、本発明のいう移動体に相当する。
【００３２】
まず、収容具６０について図６を参照して説明する。図６は、収容具６０の一例を示す図である。
本実施形態の収容具６０は、背中に担ぐ、いわゆるリュックサックである。収容具６０の用布には、第１の実施形態の衣服２０の用布と同様の素材が用いられる。
収容具６０は、包囲部としての収容本体部６１を有する。収容本体部６１は、内部に収容物を収容できる広い空間が形成されている。また、収容本体部６１は、着装者が担いだときに背中に当たる背当部６２と、外観として露出される外観部６３とを有する。
【００３３】
次に、プロジェクタ３０について説明する。図６では、プロジェクタ３０が収容本体部６１の内側に配置された状態を示している。なお、プロジェクタ３０は、第１の実施形態と同様のプロジェクタ３０が用いられる。
ここでは、一つのプロジェクタ３０が収容本体部６１の内側であって、収容本体部６１から離れた位置に配置される。具体的には、外観部６３から離れ、収容本体部６１の背当部６２に近接した位置に取り付けられる。
プロジェクタ３０は、投影方向が収容本体部６１の外観部６３を指向するように取り付けられる。プロジェクタ３０から投影される画像は外観部６３の内側をスクリーンとして投影される。ここで、収容本体部６１は、光を透過し易い素材が用いられていることから、外観部６３の内側に投影された画像は外観部６３を透過する。
【００３４】
このように、本実施形態の表示システム５０は、画像を変更可能に投影するプロジェクタ３０と、着装者に着装され、内側にプロジェクタ３０が離れて配置されると共にプロジェクタ３０により投影された画像を外側から視認可能な収容具６０と、を有する。このような構成により、プロジェクタ３０から収容具６０の内側に対して投影された画像は、収容具６０の外観部６３を透過することから、透過した画像が外観部６３に表示される。
【００３５】
したがって、着装者の周囲にいる人は外観部６３に表示された画像を外側から視認可能である。このとき、プロジェクタ３０が画像を変更して投影することで、外観部６３に表示される画像を変更でき、収容具６０の印象を容易に変えることができる。なお、収容具６０としてリュックサックを用いる場合について説明したが、この場合に限られず、その他のバッグにも適用することができる。
【００３６】
以上、本発明を種々の実施形態と共に説明したが、本発明はこれらの実施形態にのみ限定されるものではなく、本発明の範囲内で変更等が可能であり、上述した実施形態を適時組み合わせてもよい。
例えば、第１の実施形態では３つのプロジェクタ３０を用い、第２の実施形態では１つのプロジェクタ３０を用いる場合について説明したが、この場合に限られず、プロジェクタの数は限定されない。
【００３７】
例えば、上述した実施形態では、着装者が人間であることを前提として説明したが、この場合に限れず、衣服を着装する着装者はマネキンであってもよい。
例えば、上述した実施形態では、移動体が着装者であることを前提として説明したが、この場合に限られず、移動体は車両（自動４輪車、トラックなど）、浮遊体（飛行船、気球など）であってもよい。移動体を車両とする場合には、荷台に取り付けた荷台幌を表示部にすることができる。また、移動体を浮遊体とする場合には、外皮を表示部にすることができる。
【符号の説明】
【００３８】
１０：表示システム  ２０：衣服  ２１：スカート部  ２２：膨出部  ２３：窄み部  ２４：横状ワイヤ  ２５：縦状ワイヤ  ２６：装飾片  ３０：プロジェクタ  ３１：取付部バッテリ  ５０：表示システム  ６０：収容具
【図１】
0006606649.tif 000002
【図２】
0006606649.tif 000003
【図３】
0006606649.tif 000004
【図４】
0006606649.tif 000005
【図５】
0006606649.tif 000006
【図６】
0006606649.tif 000007